(57)【要約】【課題】警告が必要なときに、ユーザーに最も適切と想定される言語で的確に警告を行う。【解決手段】言語選択受付部１０７によって選択が受け付けられた言語と、識別情報言語判定部１０６によって判定された言語と、画像言語判定部１１０によって判定された言語と、操作入力言語判定部１１７によって判定された言語とのうち、優先順位メモリー６００に設定されている優先順位に基づいて、制御部１０２が、ユーザーに最も適切と想定される言語を判定し、イベント検出部１１１によってイベント発生が検出されたときに、当該判定した言語で、警告部７００により警告を行わせる。【選択図】図４
2015070310.tif 000002
【特許請求の範囲】
【請求項１】
ユーザーから文字入力を受け付ける複数の文字入力部と、
ユーザーに警告すべきイベントが発生したことを検出するイベント検出部と、
ユーザーに対する警告を行う警告部と、
前記文字入力部に入力された文字の言語をそれぞれ判定する言語判定部と、
前記各文字入力部の優先順位を記憶する優先順位記憶部と、
前記イベント検出部によって前記イベントが発生したことが検出されたとき、前記言語判定部は、前記優先順位が最も高い文字入力部に入力された言語を判定し、当該判定した言語で前記警告部に前記警告を行わせる制御部と、を備える電子機器。
【請求項２】
前記文字入力部として、画像データを取得する画像データ取得部及び当該画像データ取得部によって取得された前記画像データを文字認識する文字認識部の組み合わせと、ユーザーから文字入力を受け付ける操作部とを備える請求項１に記載の電子機器。
【請求項３】
画像を表示する表示部と、
前記表示部に表示させる言語の選択を受け付ける言語選択受付部とを更に備え、
前記優先順位記憶部は、前記各文字入力部と、前記言語選択受付部とについて、優先順位を記憶し、
前記言語判定部は、前記各文字入力部と、前記言語選択受付部のうち、前記優先順位記憶部に記憶された前記優先順位が最も高いものに入力又は選択された言語を判定し、前記制御部は、当該判定された言語で前記警告部に前記警告を行わせる請求項１又は請求項２に記載の電子機器。
【請求項４】
ユーザー毎に予め割り当てられており、かつ、少なくとも文字を含む識別情報を受け付ける識別情報受付部と、
前記識別情報受付部によって受け付けられた前記識別情報を認証する認証部とを更に備え、
前記優先順位記憶部は、前記各文字入力部と、前記言語選択受付部、前記識別情報受付部とについて、優先順位を記憶し、
前記言語判定部は、前記各文字入力部と、前記言語選択受付部と、前記識別情報受付部のうち、前記優先順位記憶部に記憶された前記優先順位が最も高いものに入力又は選択された言語を判定し、前記制御部は、当該判定された言語で前記警告部に前記警告を行わせる請求項３に記載の電子機器。
【請求項５】
前記識別情報受付部として、前記識別情報が記録されたカードを載置可能な位置に設けられ、且つ、前記カードから前記識別情報を読み取るカード情報読取部と、
前記イベント検出部として、前記カード情報読取部は、当該カード情報読取部に前記カードが載置されているかを検出するカード検出部とを備える請求項４に記載の電子機器。
【請求項６】
貨幣を徴収する貨幣徴収部と、
前記貨幣徴収部によって徴収された前記貨幣の金額を算出する貨幣算出部と、
余剰貨幣を算出する余剰貨幣算出部と、前記ユーザーが取り出し可能に余剰貨幣を蓄積する余剰貨幣蓄積部と、前記余剰貨幣蓄積部における前記余剰貨幣の有無を検出する余剰貨幣検出部とを更に備え、
前記制御部は、前記貨幣算出部によって算出された金額が予め設定された設定金額を超えるときに、当該画像形成装置を動作可能な状態とし、当該画像形成装置による動作が終了してから予め設定された時間が経過したときに、前記余剰貨幣蓄積部に前記余剰貨幣があると検出されたことがイベントとして前記イベント検出部により検出されている場合は、前記警告部による前記警告を行わせる請求項１乃至請求項５のいずれかに記載の電子機器。
【請求項７】
前記警告部は、前記制御部により判定された言語で音声により警告する請求項１乃至請求項６のいずれかに記載の電子機器。
【請求項８】
前記制御部は、前記イベント検出部によって前記イベントが発生したことが検出されたときに、前記表示部を前記警告部として表示による前記警告を行わせる請求項３乃至請求項７のいずれかに記載の電子機器。
【請求項９】
請求項１乃至請求項８のいずれかに記載の電子機器であって、
前記画像データ取得部としての原稿読取部と、
前記原稿読取部における原稿の有無を検出する原稿検出部とを更に備え、
前記制御部は、当該画像形成装置による動作が終了してから予め設定された時間が経過したときに、前記原稿検出部によって前記原稿があると検出されたことがイベントとして前記イベント検出部が検出した場合には、前記警告部による前記警告を行わせる画像形成装置。
【請求項１０】
画像形成済み記録紙が排出される排出トレイにおける前記記録紙の有無を検出する記録紙検出部を更に備え、
当該画像形成装置による動作が終了してから予め設定された時間が経過したときに、前記記録紙検出部によって前記記録紙があると検出されたことがイベントとして前記イベント検出部が検出した場合には、前記警告部による前記警告を行わせる請求項９に記載の画像形成装置。
【発明の詳細な説明】
【技術分野】
【０００１】
本発明は、電子機器及び画像形成装置に関し、特に、作業後に原稿の置き忘れ等の警告対象となるイベントが発生したときに、ユーザーに対して警告を行う技術に関する。
【背景技術】
【０００２】
従来、コンビニエンスストア等でコピーや画像データ送信サービスが提供されている。この種のサービスで使用される複合機には、原稿の置き忘れを防止するため、“原稿を取り忘れないでください”などといったシール等が貼られている。しかしながら、この種の注意喚起がなされているにもかかわらず、ユーザーが原稿を置き忘れたまま、複合機から離れてしまうことがある。このような場合、第三者がその原稿を悪用することも考えられる。そこで、原稿が置かれたまま、ユーザーが画像形成済みの記録紙を回収した場合に、音声で警告をすることが提案されている（例えば、特許文献１）。また、ログイン画面に入力された識別情報の文字からユーザーの使用言語を判断する技術も提案されている（例えば、特許文献２）。
【先行技術文献】
【特許文献】
【０００３】
【特許文献１】特開平１０−３２２４８９号公報
【特許文献２】特開２００６−１０７０３２号公報
【発明の概要】
【発明が解決しようとする課題】
【０００４】
コンビニエンスストア等における上記サービスは、様々な言語圏の人によって利用されている。先述した特許文献１では、警告を日本語で行っているため、日本語以外の言語圏の人にとっては、警告の意味が判りづらい。様々な言語圏の人が判りやすいように警告を行うため、特許文献２に示される技術により、ログイン画面に入力された識別情報の文字からユーザーの使用言語を判断するとしても、ユーザーが識別情報の入力に用いた言語が、必ずしもそのユーザーに最も適切な言語であるとは限らないため、ユーザーに最も適切な言語で的確に警告を行うことは困難である。
【０００５】
本発明は、上記の問題を解決するためになされたものであり、警告が必要なときに、ユーザーに最も適切と想定される言語で的確に警告を行うことを目的とする。
【課題を解決するための手段】
【０００６】
本発明の一局面に係る電子機器は、ユーザーから文字入力を受け付ける複数の文字入力部と、
ユーザーに警告すべきイベントが発生したことを検出するイベント検出部と、
ユーザーに対する警告を行う警告部と、
前記文字入力部に入力された文字の言語をそれぞれ判定する言語判定部と、
前記各文字入力部の優先順位を記憶する優先順位記憶部と、
前記イベント検出部によって前記イベントが発生したことが検出されたとき、前記言語判定部は、前記優先順位が最も高い文字入力部に入力された言語を判定し、当該判定した言語で前記警告部に前記警告を行わせる制御部と、を備えるものである。
【０００７】
本発明によれば、２以上の文字入力部について、例えばユーザーの母国語が入力される可能性が高い文字入力部により高い優先順位を設定しておくことで、ユーザーに最も適切と想定される言語を判定可能になる。たとえば、フランス人が画像形成や画像データ送信を行う際に用いる原稿の言語は、フランス語である可能性が高い。このとき、言語の優先順位を、母国語が入力される可能性が高い文字入力受付部、例えば、文字入力部の一例としての原稿読取部がある場合、読取対象とする原稿に記載されている言語が母国語である可能性が高いとして、当該原稿読取部、ユーザーから文字が入力される操作部の言語の順に設定しておけば、表示部に表示されている文字やそれに対応して入力される文字が別の言語、例えば英語であっても、読み取り対象とした原稿で用いられている言語がフランス語であれば、ユーザーに最も適切と想定される言語がフランス語と判定される。これにより、予め定められたイベントが発生したときに、ユーザーに最も適切と想定される言語で警告を行うことができる。
【発明の効果】
【０００８】
本発明によれば、警告が必要なときに、ユーザーに最も適切と想定される言語で的確に警告を行うことができる。
【図面の簡単な説明】
【０００９】
【図１】本発明の実施の形態に係る画像処理装置を備える画像形成装置の構造を示す正面断面図である。
【図２】画像形成装置のカード情報読取部部分を示す斜視図である。
【図３】操作部の正面の一例を示した正面図である。
【図４】画像形成装置の機能構成の一例を示したブロック図である。
【図５】ベンダーの機能構成の一例を示した図である。
【図６】優先順位メモリーに記憶された優先順位の一例を示した図である。
【図７】画像形成装置による処理を示したフローチャートである。
【図８】イベント検出部により実行されるイベント検出処理の一例を示したフローチャートである。
【発明を実施するための形態】
【００１０】
＜複合機の構成＞
以下、本発明の一実施形態に係る電子機器の一例としての画像形成装置について図面を参照して説明する。図１は、本発明の実施の形態に係る画像処理装置を備える画像形成装置の構造を示す正面断面図である。図２は画像形成装置のカード情報読取部部分を示す斜視図である。
【００１１】
本発明の一実施形態に係る画像形成装置１は、例えば、コピー機能、プリンター機能、スキャナー機能、及びファクシミリ機能のような複数の機能を兼ね備えた複合機である。画像形成装置１は、装置本体１１に、操作部４７、画像形成部１２、定着部１３、給紙部１４、原稿給送部６、及び画像読取装置５等を備えて構成されている。
【００１２】
操作部４７は、画像形成装置１が実行可能な各種動作及び処理についてユーザーから画像形成動作実行指示や原稿読取動作実行指示等の指示を受け付ける。操作部４７は、ユーザーへの操作案内等を表示する表示部４７３を備えている。
【００１３】
画像形成装置１が原稿読取動作を行う場合、原稿給送部６により給送されてくる原稿、又はコンタクトガラス（原稿載置ガラス）１６１に載置された原稿の画像を画像読取装置５が光学的に読み取り、画像データを生成する。画像読取装置５により生成された画像データは内蔵ＨＤＤ又はネットワーク接続されたコンピューター等に保存される。
【００１４】
画像形成装置１が画像形成動作を行う場合は、上記原稿読取動作により生成された画像データ、又はネットワーク接続されたコンピューターやスマートフォン等のユーザー端末装置から受信した画像データ、又は内蔵ＨＤＤに記憶されている画像データ等に基づいて、画像形成部１２が、給紙部１４から給紙される記録媒体としての記録紙Ｐにトナー像を形成する。画像形成部１２の画像形成ユニット１２Ｍ、１２Ｃ、１２Ｙ、及び１２Ｂｋは、感光体ドラム１２１と、感光体ドラムへトナーを供給する現像装置１２２と、トナーを収容するトナーカートリッジ（不図示）と、帯電装置１２３と、露光装置１２４と、１次転写ローラー１２６とをそれぞれ備えている。
【００１５】
給紙部１４は、複数の給紙カセットを備える。制御部１０２（図４）は、ユーザーによる指示で指定されたサイズの記録紙が収容された給紙カセットのピックアップローラー１４５を回転駆動させて、各給紙カセットに収容されている記録紙Ｐを上記ニップ部Ｎに向けて搬送させる。
【００１６】
カラー印刷を行う場合、画像形成部１２のマゼンタ用の画像形成ユニット１２Ｍ、シアン用の画像形成ユニット１２Ｃ、イエロー用の画像形成ユニット１２Ｙ及びブラック用の画像形成ユニット１２Ｂｋは、それぞれに、画像データを構成するそれぞれの色成分からなる画像に基づいて、帯電、露光及び現像の工程により感光体ドラム１２１上にトナー像を形成し、トナー像を１次転写ローラー１２６により、駆動ローラー１２５ａ及び従動ローラー１２５ｂに張架されている中間転写ベルト１２５上に転写させる。
【００１７】
中間転写ベルト１２５は、その外周面にトナー像が転写される像担持面が設定され、感光体ドラム１２１の周面に当接した状態で駆動ローラー１２５ａによって駆動される。中間転写ベルト１２５は、各感光体ドラム１２１と同期しながら、駆動ローラー１２５ａと従動ローラー１２５ｂとの間を無端走行する。
【００１８】
中間転写ベルト１２５上に転写される各色のトナー画像は、転写タイミングを調整して中間転写ベルト１２５上で重ね合わされ、カラーのトナー像となる。２次転写ローラー２１０は、中間転写ベルト１２５の表面に形成されたカラーのトナー像を、中間転写ベルト１２５を挟んで、対向ローラーとしての駆動ローラー１２５ａ（以下、対向ローラー１２５ａ）とのニップ部Ｎにおいて、給紙部１４から搬送路１９０を搬送されてきた記録紙Ｐに転写させる。この後、定着部１３が、記録紙Ｐ上のトナー像を熱圧着により記録紙Ｐに定着させる。定着処理の完了したカラー画像形成済みの記録紙Ｐは、排出トレイ１５１に排出される。排出トレイ１５１には、排出トレイ１５１上での記録紙の有無を検出する記録紙センサー１５２が設けられている。
【００１９】
さらに、画像形成装置１には、貨幣として紙幣及び硬貨の少なくとも一方を徴収するベンダー２００が接続されている。後述する制御部１０２は、ベンダー２００によって徴収された貨幣の金額が、予め設定された金額を超える場合に、ユーザーによる画像形成装置１の使用を許可する。
【００２０】
さらに、画像形成装置１には、画像データを送信すべき相手先のパーソナルコンピューターやファクシミリ装置が接続された通信ネットワークＮＥが接続されている。この通信ネットワークＮＥは、当該通信ネットワークＮＥに相手先のファクシミリ装置が接続されている場合には、公衆回線網である。或いは、通信ネットワークＮＥは、当該通信ネットワークＮＥに相手先のパーソナルコンピューターが接続されている場合には、ＬＡＮ（Local Area Network）やインターネットである。
【００２１】
図１では図示していないが、装置本体１１の正面部には、図２に示すように、カード情報読取部３０が設けられている。このカード情報読取部３０は、ユーザー固有の識別情報（例えば、ユーザーＩＤ）が記録されたカードが載置可能に設けられている。
【００２２】
カード情報読取部３０は、例えば、ＲＦＩＤ（Radio Frequency IDentification）によって、当該カード情報読取部３０に載置されたカードから識別情報を読み取る。
【００２３】
カード情報読取部３０には、当該カード情報読取部３０にカードが載置されているか否かを検出するカード検出センサー（カード検出部）３１が設けられている。
【００２４】
＜操作部４７の構成＞
図３は、操作部４７の正面の一例を示した正面図である。この操作部４７は、タッチパネル機能を有する表示部４７３、数字キー群４７１、各種操作ボタン４７６〜４７８、機能選択ボタン４７５等を備える。
【００２５】
表示部４７３は、例えば、ＬＣＤ（Liquid Crystal Display）で構成されている。ＬＣＤは、操作案内等を示す画像を表示する。この画像としては、例えば、ユーザーへの通知メッセージを表す画像や、コピー部数を表す画像や、画像データの送信先（例えばＥ−ＭＡＩＬアドレス）を入力するための文字ボタンを表す画像等が挙げられる。
【００２６】
表示部４７３は、タッチパネル機能を備え、ＬＣＤに表示されている画像がタッチ操作されたとき、タッチ操作された位置に応じた指示を、制御部１０２（図４）に向けて出力する。表示部４７３は、ユーザーの文字入力を受け付ける操作部として機能する。
【００２７】
数字キー群４７１は、例えば、画像形成装置１のコピー機能動作中はコピー枚数を、ファクシミリ機能動作中は送信先の電話番号等をユーザーが入力するためのものである。スタートボタン４７２は、コピー、プリンター、スキャナー及びファクシミリ動作等の各種ファンクションについて実行開始を指示するためのボタンである。クリアボタン４７９はファンクションの停止、入力操作の取り消しを行うボタンである。リセットボタン４７４は、表示部４７３の表示や各種設定を初期状態又は標準動作状態にするボタンである。
【００２８】
機能選択ボタン４７５は、コピー機能、プリンター機能、スキャナー機能及びファクシミリ機能等を選択するボタンである。機能選択ボタン４７５として、コピー機能を実行させるためのコピー機能選択ボタン４７５１と、画像データ送信機能を実行させるための画像データ送信機能選択ボタン４７５２とが少なくとも設けられている。
【００２９】
＜画像形成装置１の機能構成＞
図４は、画像形成装置１の機能構成の一例を示したブロック図である。図５は、ベンダー２００の機能構成の一例を示した図である。
【００３０】
画像形成装置１は、図４に示すように、装置本体１１と、ベンダー２００とを備える。装置本体１１は、原稿読取部５と、カード情報読取部３０と、制御ユニット１０１と、画像形成部１２と、画像メモリー５００と、優先順位メモリー６００と、警告メッセージ出力部７００と、画像データ送信部８００と、操作部４７と、を備える。
【００３１】
なお、原稿読取部５、カード情報読取部３０、画像形成部１２、操作部４７については、すでに説明済みであるので、説明を省略する。
【００３２】
ベンダー２００は、図５に示すように、制御部２０１と、貨幣徴収部２０２と、貨幣算出部２０３と、余剰貨幣返却部２０４と、返却操作受付部２０６と、を備える。
【００３３】
制御部２０１は、ベンダー２００を統括的に制御する。制御部２０１は、ＣＰＵ（Central Processing Unit）、ＲＯＭ（Read Only Memory）、ＲＡＭ（Random Access Memory）などを組み合わせて構成されており、ＣＰＵがメモリー２０９に記憶された制御プログラムを実行することで実現される。
【００３４】
貨幣徴収部２０２は、貨幣として例えば紙幣や硬貨の投入を受け付ける。貨幣算出部２０３は、貨幣徴収部２０２によって徴収された貨幣の金額を算出する。貨幣算出部２０３は、算出された金額を通知するための信号を制御部２０１に出力する。
【００３５】
余剰貨幣返却部２０４は、余剰貨幣を算出し、余剰貨幣分の貨幣を返却する。
【００３６】
返却操作受付部２０６は、ユーザーによる返却操作ボタン２０６０の操作を受け付ける。返却操作受付部２０６は、返却操作ボタン２０６０の操作を受け付けたときには、返却操作ボタン２０６０の操作を受け付けたことを一時的に記憶する。
【００３７】
余剰貨幣返却部２０４は、返却操作受付部２０６が返却操作ボタン２０６０の操作を受け付けたときに、余剰貨幣算出部２０４によって算出された余剰貨幣分の貨幣を返却する。
【００３８】
さらに、返却された余剰貨幣を一時的にストックする余剰貨幣ボックス（余剰貨幣蓄積部）２０８が備えられる。余剰貨幣ボックス２０８には、余剰貨幣ボックスに余剰貨幣があるか否かを検出する余剰貨幣検出センサー（余剰貨幣検出部）２０８０が設けられている。
【００３９】
制御部２０１は、画像形成装置１の処理部４００による処理が終了してから予め設定された設定時間を経過したことを表す信号を受信したときに、余剰貨幣検出センサー２０８０によって、余剰貨幣ボックス２０８に余剰貨幣があるか否かを検出させる。制御部２０１は、余剰貨幣検出センサー２０８０による検出結果を、画像形成装置１の制御部１０２に出力する。
【００４０】
図４に戻り、装置本体１１では、制御ユニット１０１は、制御部１０２と、識別情報受付部１０３と、認証部１０４と、識別情報言語判定部１０６と、言語選択受付部１０７と、文字認識部１０９と、画像言語判定部１１０と、イベント検出部１１１と、優先順位受付部１１２と、警告制御部１１４と、操作入力文字受付部１１６と、操作入力言語判定部１１７と、警告メッセージ生成部１１８と、を備える。そして、画像形成部１２は、画像データ送信部８００と対になって、処理部４００を構成している。制御ユニット１０１は、ＣＰＵ（Central Processing Unit）、ＲＯＭ（Read Only Memory）、ＲＡＭ（Random Access Memory）などを組み合わせて構成されており、ＣＰＵが所定の制御プログラムを実行することで、上記各部として動作する。
【００４１】
制御部１０２は、画像形成装置１の全体的な動作制御を司る。
【００４２】
識別情報受付部１０３は、カード情報読取部３０によってカードから読み取られたユーザーＩＤ、或いは、操作部４７においてユーザーにより入力されたユーザーＩＤを受け付ける。
【００４３】
認証部１０４は、識別情報受付部１０３によって受け付けられた識別情報が予め定められた正規の識別情報であるか否かを認証する。
【００４４】
識別情報言語判定部１０６は、識別情報受付部１０３によって受け付けられたユーザーＩＤに対応する文字の言語を判定する。例えば、ユーザーＩＤが、“山田太郎１２３”である場合には、識別情報言語判定部１０６は、ユーザーＩＤに含まれる文字の言語が日本語であると判定する。識別情報言語判定部１０６は、特許請求の範囲における言語判定部の一例である。
【００４５】
言語選択受付部１０７は、表示部４７３に表示させるべき文字の言語の選択をユーザーから受け付ける。
【００４６】
上記の制御部１０２は、予め設定された言語（例えば、日本語）、或いは、言語選択受付部１０７によって選択が受け付けられた言語（例えば、英語、韓国語、フランス語等）を示す文字画像を表示部４７３に表示させる。
【００４７】
文字認識部１０９は、原稿読取部５によって読み取られた原稿の画像データを、例えば、ＯＣＲ（Optical Character Recognition）によって文字認識を行い、文字データに変換する。
【００４８】
画像言語判定部１１０は、文字認識部１０９によって文字認識された画像データの言語を判定する。画像言語判定部１１０は、特許請求の範囲における言語判定の一例である。なお、本実施形態では、識別情報言語判定部１０６と、操作者入力言語判定部１１７と、画像言語判定部１１０とを別個に備える例を示しているが、１つの判定部を設け、この判定部が、識別情報言語判定部１０６、操作者入力言語判定部１１７及び画像言語判定部１１０の機能を備えるものであってもよい。
【００４９】
イベント検出部１１１は、処理部４００による処理が終了したときに発生したイベントを検出する。イベント検出部１１１には、原稿センサー６６０と、記録紙センサー１５２と、カード検出センサー３１と、が接続されている。
【００５０】
イベント検出部１１１は、例えば処理部４００による処理が終了してから予め設定された時間が経過した後に、原稿センサー６６０、記録紙センサー１５２、及びカード検出センサー３１から出力された信号に基づいて、イベント発生を検出する。
【００５１】
或いは、イベント検出部１１１は、制御部１０２を介して、処理部４００による処理が終了してから所定時間が経過したときに、ベンダー２００の制御部２０１に、その旨を通知する信号を出力する。そして、これを受けたベンダー２００の制御部２０１から返信される信号に基づいて、イベント検出部１１１がイベント発生を検出する。
【００５２】
優先順位受付部１１２は、識別情報受付部１０３と、言語選択受付部１０７と、上記原稿読取部５及び文字認識部１０９の組と、操作入力文字受付部１１６と、について優先順位を記憶する。優先順位メモリー６００（優先順位記憶部）は、優先順位受付部１１２によって設定が受け付けられた優先順位を記憶する。
【００５３】
図６は、優先順位メモリー６００に記憶された優先順位の一例を示した図である。優先順位メモリー６００は、優先順位を優先順位テーブル６０１に記憶する。優先順位テーブル６０１では、本実施の形態では、優先順位が高いものから、(A)原稿読取部５及び文字認識部１０９、(B)操作入力文字受付部１１６、(C)言語選択受付部１０７、(D)識別情報受付部１０３の順に優先順位が設定されている。
【００５４】
なお、優先順位として、本実施の形態では、上述した(A)〜(D)の４つが用いられているが、本発明ではこの例には限られず、上述した(A)〜(D)の４つのうちいずれか２以上であればよい。
【００５５】
図４に戻り、上記の制御部１０２は、優先順位テーブル６０１に記憶されている優先順位に従って、優先順位の最も高い機構、具体的には、原稿の言語、操作入力された言語、表示部４７３における表示言語、ログインの際に用いられた識別情報の言語から、ユーザーにとって最も適切と想定される言語、例えば、ユーザーの使用言語と想定される言語を判定する。
【００５６】
また、上記の制御部１０２には、警告に用いる標準の言語（例えば、日本語）が設定されている。上記の制御部１０２は、優先順位テーブル６０１を用いた判定ができなかったときは、当該標準の言語が、ユーザーにとって最も適切と想定される言語であると判定する。
【００５７】
制御部１０２は、イベント検出部１１１によってイベント発生が検出されたときに、上記判定した言語の警告メッセージを、警告メッセージ出力部７００によって音声で出力させる。
【００５８】
また、制御部１０２は、イベント検出部１１１によってイベント発生が検出されたときに、上記判定した言語で、警告メッセージを表示部４７３に表示させることも可能である。
【００５９】
操作入力文字受付部１１６は、表示部４７３に表示された文字を表す画像のタッチ操作、或いは、操作部４７に設けられたハードウェアボタンの操作によって入力された文字を受け付ける。
【００６０】
操作入力言語判定部１１７は、操作入力文字受付部１１６によって受け付けられた文字の言語を判定する。操作入力言語判定部１１７は、特許請求の範囲における言語判定部の一例である。
【００６１】
画像メモリー５００は、原稿読取部５によって読み取られた原稿の画像データを記憶する。
【００６２】
警告部７００は、例えばスピーカー等であり、制御部１０２による制御の下、複数の言語の警告メッセージを音声で出力する。
【００６３】
画像データ送信部８００は、画像メモリー５００に記憶された画像データを、公衆回線網（通信ネットワークＮＥの一例）を通じてファクシミリ送信する。或いは、画像データ送信部８００は、前記画像データを、インターネット（通信ネットワークＮＥの別例）を通じて、指定されたＥ−ＭＡＩＬアドレスが割り当てられたメールボックスに送信する。
【００６４】
＜画像形成装置１による処理＞
図７は、画像形成装置１による処理を示したフローチャートである。
【００６５】
識別情報受付部１０３によってユーザーからユーザーＩＤ等が識別情報として受け付けられたときには（ステップＳ１でＹＥＳ）、認証部１０４が当該識別情報を認証し、認証部１０４により当該識別情報が正規の識別情報であると認証されたとき（ステップＳ２でＹＥＳ）、制御部１０２は、当該ユーザーに対する処理部４００による処理を許可する。つまり、制御部１０２は、ユーザーＩＤが認証されたときには、ユーザーの画像形成装置１へのログインを許可する（ステップＳ３）。なお、ステップＳ２でＮＯの場合は、処理は終了する。
【００６６】
ついで、識別情報言語判定部１０６が、識別情報受付部１０３によって受け付けられた識別情報として入力された文字の言語を判定する（ステップＳ４）。
【００６７】
制御部１０２は、予め設定されている標準の言語（例えば、日本語）で、表示部４７３に操作案内画像を表示させる（ステップＳ５）。
【００６８】
そして、言語選択受付部１０７によって、表示部４７３に表示させるべき言語の選択が受け付けられたときには（ステップＳ６でＹＥＳ）、制御部１０２は、選択された言語で操作案内画像を表示部４７３に表示させる（ステップＳ８）。なお、ステップＳ６でＮＯの場合、処理はステップＳ９に移る。
【００６９】
ついで、操作入力文字受付部１１６によって操作入力文字が受け付けられたときには（ステップＳ９でＹＥＳ）、操作入力言語判定部１１７が、操作入力文字受付部１１６によって受け付けられた操作入力文字の言語を判定する（ステップＳ１０）。なお、この操作入力文字としては、例えば、画像データの送信先であるＥ−ＭＡＩＬアドレスや、ワンタッチダイヤルや短縮ダイヤルに対応付ける相手先情報の設定時に入力される文字があげられる。なお、ステップＳ９でＮＯの場合、処理はステップＳ１１に移る。
【００７０】
そして、制御部１０２は、ユーザーから入力されるコピー指示、メール送信指示、又はネットワーク上のパーソナルコンピューターへの保存指示等に従って、原稿読取部５によって原稿の画像データを読み取らせる（ステップＳ１１）。文字認識部１０９は、原稿読取部５による読取で得られた原稿画像データに含まれる画像が示す文字を、ＯＳＲ等によりキャラクター変換して認識する（ステップＳ１２）。
【００７１】
画像言語判定部１１０は、上記認識された文字の言語を判定する（ステップＳ１３）。そして、制御部１０２は、操作部４７に入力されるユーザーからの操作指示に従って、処理部４００による処理を開始させる（ステップＳ１４）。なお、処理部４００による処理は、画像形成部１２による画像形成、或いは、画像データ送信部８００による画像データのメール送信、ネットワーク上のパーソナルコンピューターへのデータ送信等である。
【００７２】
処理部４００による処理が終了したときには（ステップＳ１５でＹＥＳ）、イベント検出部１１１がイベント検出処理を実行する（ステップＳ１６）。
【００７３】
イベント検出部１１１によってイベントが発生したことが検出されたときには（ステップＳ１７でＹＥＳ）、制御部１０２は、優先順位テーブル６０１における優先順位に基づいて、ユーザーに最も適切と想定される言語を判定する（ステップＳ１８）。なお、ステップＳ１７でＮＯの場合、処理は終了する。
【００７４】
例えば、優先順位テーブル６０１における優先順位が、図６に示すような優先順位である場合には、制御部１０２は、最も高く優先順位が設定されている原稿読取部を選択し、当該原稿読取部の言語、すなわち、“原稿の言語”が、ユーザーに最も適切と想定される言語であると判定する。なお、制御部１０２は、ステップＳ１３において原稿の言語を判定できなかったときには、２番目に優先順位されている操作入力文字受付部１１６に入力された言語、すなわち、“操作入力された言語”が、ユーザーに最も適切と想定される言語であると判定する。
【００７５】
また、制御部１０２は、ステップＳ１３において、原稿の言語を判定できず、且つ、ステップＳ１０において、操作入力された文字の言語を判定できなかったときには、３番目に優先順位されている“表示部における表示言語”が、ユーザーに最も適切と想定される言語であると判定する。
【００７６】
さらに、制御部１０２は、ステップＳ１３において、原稿の言語を判定できず、且つ、ステップＳ１０において、操作入力された文字の言語を判定できず、且つ、ステップＳ７において表示部４７３における表示言語が判定できなかったときには、４番目に優先順位されている“ログインの際に用いられた識別情報の言語”が、ユーザーに最も適切と想定される言語であると判定する。
【００７７】
さらに、制御部１０２は、原稿の言語、操作入力された文字の言語、表示部４７３における表示言語、及び、ログインの際に用いられた識別情報の言語のいずれも判定できなかったときには、予め設定されている標準の言語を、ユーザーに最も適切と想定される言語と判定する。
【００７８】
そして、制御部１０２は、上記判定した言語で警告メッセージを生成する。制御部１０２は、上記生成した警告メッセージを、警告部７００により音声で警告させる（ステップＳ２０）。或いは、制御部１０２は、当該警告メッセージを表示部４７３に表示させる。
【００７９】
以上説明したように、画像形成装置１によれば、予め定められたイベントが発生したときに、識別情報に含まれる文字の言語と、表示部４７３によって表示されている言語と、原稿で用いられている言語と、操作入力された文字の言語の中から、予め定められた優先順位に基づいて、ユーザーに最も適切と想定される言語が判定される。そして、優先順位に基づいて判定された、ユーザーに最も適切と想定される言語で、警告メッセージが音声又は表示により警告される。
【００８０】
これにより、例えば、上記(A)〜(D)の４つの言語について、上記優先順位メモリー６００に記憶される優先順位として、例えばユーザーの使用言語である可能性が高い順に、高い優先順位を設定しておけば、ユーザーに最も適切と想定される言語が、上記警告に用いる言語とされる。
【００８１】
たとえば、フランス人が画像形成や画像データ送信を行う際に用いる原稿の言語は、フランス語である可能性が高い。この場合、優先順位を、例えば、図６に示した順位のように、原稿の言語の優先順位を最も高く設定しておけば、表示部４７３に表示されている操作のための文字の言語が別の言語、例えば英語であっても、原稿で用いられている言語がフランス語であれば、ユーザーに最も適切と想定される言語がフランス語と判定される。これにより、予め定められたイベントが発生したときに、ユーザーに最も適切と想定される言語で警告を行うことができる。
【００８２】
その結果、様々な言語圏の人が画像形成装置１のユーザーであっても、警告が必要なときに、各ユーザーに最も適切と想定される言語で的確に警告を行うことができる。
【００８３】
＜イベント検出処理＞
図８は、イベント検出部１１１により実行されるイベント検出処理の一例を示したフローチャートである。
【００８４】
イベント検出部１１１は、処理部４００による処理（画像形成或いは画像データ送信）が終了した時点から予め設定された時間が経過したときに、当該時間が経過したことを示す信号をベンダー２００の制御部２０１に出力しておく。
【００８５】
この予め設定された時間の経過時に、イベント検出部１１１は、原稿センサー６６０によって原稿が検出されているときには（ステップＳ１０１でＹＥＳ）、原稿読取部５に読取済み原稿があること（原稿忘れ）を前記イベントとして検出し、その旨を表す信号を、画像形成装置１の制御部１０２に出力する（ステップＳ１０２）。なお、ステップＳ１０１でＮＯの場合、処理はステップＳ１０３に移る。
【００８６】
或いは、イベント検出部１１１は、記録紙センサー１５２によって画像形成済みの記録紙が検出されているか否かを判定する（ステップＳ１０３）。記録紙センサー１５２によって画像形成済みの記録紙が検出されているときには（ステップＳ１０３でＹＥＳ）、イベント検出部１１１は、排出トレイ１５１に画像形成済み記録紙があること（記録紙忘れ）を前記イベントとして検出し、その旨を表す信号を制御部１０２に出力する（ステップＳ１０４）。なお、ステップＳ１０３でＮＯの場合、処理はステップＳ１０５に移る。
【００８７】
或いは、イベント検出部１１１は、カード検出センサー３１によってカードが検出されているか否かを判定する（ステップＳ１０５）。カード検出センサー３１によってカードが検出されているときには（ステップＳ１０５でＹＥＳ）、イベント検出部１１１は、カード情報読取部３０上にカードがあること（カード置き忘れ）を前記イベントとして検出し、その旨を表す信号を制御部１０２に出力する（ステップＳ１０６）。なお、ステップＳ１０５でＮＯの場合、処理はＳ１０７に移る。
【００８８】
或いは、イベント検出部１１１は、制御部２０１を介して余剰貨幣検出センサー２０８０から受け付けた余剰貨幣ありを示す信号を受信したときは（ステップＳ１０７でＹＥＳ）、余剰貨幣ボックス２０８に余剰貨幣があること（余剰貨幣取り忘れ）を前記イベントとして検出し、その旨を表す信号を制御部１０２に出力する（ステップＳ１０８）。Ｓ１０８の後、処理はステップＳ１００に戻る。
【００８９】
上述したように、この構成によると、画像形成或いは画像データ送信が終了してから予め定められた設定時間が経過したときに、読取済みの原稿が放置されている場合には、その旨がイベントとして検出され、原稿の取り忘れを通知するための警告メッセージが、ユーザーに最も適切と想定される言語、例えばユーザーの使用言語と想定される言語で音声出力、或いは表示される。
【００９０】
これにより、原稿の取り忘れがあること等を、様々な言語圏の人が判りやすいように通知することが可能になる。その結果、原稿の取り忘れの回数を減らすことができ、原稿に関するセキュリティー性を向上させることができる。
【００９１】
また、この構成によると、画像形成が終了してから予め定められた設定時間が経過したときに、画像形成済みの記録紙である画像形成済み記録紙が排出トレイ１５１に残っていれば、その旨がイベントとして検出され、画像形成済み記録紙の取り忘れを通知するための警告メッセージが、ユーザーに最も適切と想定される言語で音声出力、或いは表示される。
【００９２】
これにより、画像形成済み記録紙の取り忘れがあることを、様々な言語圏の人が判りやすいように通知することができる。その結果、画像形成済み記録紙の取り忘れの回数を減らすことができ、画像形成済み記録紙に関するセキュリティー性を向上させることができる。
【００９３】
さらに、この構成によると、画像形成や画像データ送信が終了してから設定時間が経過したときにカードが置き忘れられている際には、その旨がイベントとして検出され、カード取り忘れを通知するための警告メッセージが、ユーザーに最も適切と想定される言語で音声出力、あるいは表示される。
【００９４】
これにより、カードの取り忘れがあったことを、様々な言語圏の人が判りやすいように知らせることができる。その結果、カードの置き忘れの回数を減らすことができ、カードに関するセキュリティー性を向上させることができる。
【００９５】
さらに、この構成によると、画像形成や画像データ送信が終了してから設定時間が経過したときに、余剰貨幣ボックス２０８に余剰貨幣があると検出されている際には、その旨がイベントとして検出され、余剰貨幣の取り忘れを通知するための警告メッセージが、ユーザーに最も適切と想定される言語で音声出力、或いは表示される。
【００９６】
これにより、余剰貨幣の取り忘れがあることを、様々な言語圏の人に意味が判りやすいように通知することができる。その結果、余剰貨幣の取り忘れの回数を減らすことができる。
【００９７】
また、本発明は上記実施の形態の構成に限られず種々の変形が可能である。例えば、ベンダー２００は、本実施の形態では、装置本体１１とは別個に設けられているが、本発明ではこの例には限られず、装置本体１１と一体的に設けられていてもよい。或いは、画像形成装置１には、ベンダー２００が設けられていなくてもよい。この場合、画像形成装置１では、上述したイベントや処理のうち、ベンダー２００に関するものは検出や処理を行わない。
【００９８】
また、図１乃至図８を用いて上記各実施形態に示した構成及び処理は、本発明の一実施形態に過ぎず、本発明の構成及び処理はこれに限定されるものではない。
【符号の説明】
【００９９】
１        複合機
５        原稿読取部
６６０    原稿センサー
１２      画像形成部
３０      カード情報読取部
３１      カード検出センサー
４７      操作部
４７３    表示部
１０２    制御部
１０３    識別情報受付部
１０４    認証部
１０６    識別情報言語判定部
１０７    言語選択受付部
１０９    文字認識部
１１０    画像言語判定部
１１１    イベント検出部
１１２    優先順位受付部
１５１    排出トレイ
１５２    記録紙センサー
２０２    貨幣徴収部
２０４    余剰貨幣返却部
２０８    余剰貨幣ボックス
２０８０  余剰貨幣検出センサー
４００    処理部
６００    優先順位メモリー
７００    警告部
【図１】
2015070310.tif 000003
【図４】
2015070310.tif 000004
【図５】
2015070310.tif 000005
【図６】
2015070310.tif 000006
【図７】
2015070310.tif 000007
【図８】
2015070310.tif 000008
【図２】
2015070310.tif 000009
【図３】
2015070310.tif 000010